(57)【要約】【課題】３Ｄコンテンツの３Ｄ実行可能なテレビにおける再生を容易にするシステムおよび方法を提供すること。【解決手段】ディスプレイユニット上での３Ｄメディアプレーヤからの３Ｄビデオコンテンツの再生を制御する方法であって、ディスプレイユニット上での表示のための、コンテンツ媒体上に含まれるビデオコンテンツを再生するための指示を受信するステップと、該媒体上に含まれるビデオコンテンツが３Ｄビデオコンテンツであるかどうかを決定するステップと、該ビデオコンテンツが表示されるディスプレイユニットが３Ｄビデオコンテンツを表示可能であるかどうかを決定するステップと、該ディスプレイユニットを、３Ｄビデオディスプレイモードに切り換えさせるために、指示を該ディスプレイユニットに送るステップと、該３Ｄビデオコンテンツを、表示のために該ディスプレイユニットに送信するステップとを包含する、方法。【選択図】図１
2010050968.tif 000002
【特許請求の範囲】
【請求項１】
ディスプレイユニット上での３Ｄメディアプレーヤからの３Ｄビデオコンテンツの再生を制御する方法であって、
ディスプレイユニット上での表示のための、コンテンツ媒体上に含まれるビデオコンテンツを再生するための指示を受信するステップと、
該媒体上に含まれるビデオコンテンツが３Ｄビデオコンテンツであるかどうかを決定するステップと、
該ビデオコンテンツが表示されるディスプレイユニットが３Ｄビデオコンテンツを表示可能であるかどうかを決定するステップと、
該ディスプレイユニットを、３Ｄビデオディスプレイモードに切り換えさせるために、指示を該ディスプレイユニットに送るステップと、
該３Ｄビデオコンテンツを、表示のために該ディスプレイユニットに送信するステップと
を包含する、方法。
【請求項２】
ディスプレイユニット上での３Ｄメディアプレーヤからの３Ｄビデオコンテンツの再生を制御する方法であって、
ディスプレイユニット上での表示のための、記憶媒体上に記憶されたビデオコンテンツを再生するための指示を受信するステップと、
該記憶媒体上に記憶されたビデオコンテンツが３Ｄビデオコンテンツであるかどうかを決定するステップと、
該ビデオコンテンツが表示されるディスプレイユニットが３Ｄビデオコンテンツを表示可能であるかどうかを決定するステップと、
該ディスプレイユニットに、該ディスプレイユニットが３Ｄビデオコンテンツを表示可能である場合には３Ｄビデオディスプレイモードへ切り換えさせるために、または該ディスプレイユニットが３Ｄビデオコンテンツを表示不可能である場合にはエラーメッセージを表させるために、指示を該ディスプレイユニットに送るステップと、
該ディスプレイユニットが３Ｄビデオコンテンツを表示可能な場合、該３Ｄビデオコンテンツを、表示のために該ディスプレイユニットに送信するステップと
を包含する、方法。
【請求項３】
不揮発性メモリとプラグラマブルロジックとを含むＣＰＵであって、該ＣＰＵは、双方向バスを介してデータを送受信可能である、ＣＰＵと、
該ＣＰＵに結合されたメディアリーダであって、該プログラマブルロジックは、該メディアリーダによって読み取られる記憶媒体上に記憶されたビデオコンテンツが３Ｄビデオコンテンツを含むかどうかを決定することと、該ビデオコンテンツが表示されるディスプレイユニットが３Ｄビデオコンテンツを表示可能かどうかを決定することと、該ビデオコンテンツが表示されるディスプレイユニットに、該ディスプレイユニットが３Ｄビデオコンテンツを表示可能である場合には３Ｄビデオディスプレイモードに切り換えさせるために、または該ディスプレイが３Ｄビデオコンテンツを表示不可能である場合にはエラーメッセージを表示させるために指示を送信することと、該ディスプレイユニットが３Ｄビデオコンテンツを表示可能である場合には該ビデオコンテンツが表示されるディスプレイユニットに３Ｄビデオコンテンツを送信することとを行うように構成される、メディアリーダと
を備えている、３Ｄメディアプレーヤ。
【請求項４】
前記プログラマブルロジックは、前記不揮発性メモリに記憶されたソフトウェアを含み、該ソフトウェアは一組の指示を備える、請求項３に記載の３Ｄメディアプレーヤ。
【請求項５】
前記プログラマブルロジックは、自動検出モジュールを含む、請求項３に記載の３Ｄメディアプレーヤ。
【請求項６】
テレビと、
該テレビに結合された３Ｄメディアプレーヤであって、該３Ｄメディアプレーヤは、
不揮発性メモリとプラグラマブルロジックとを含むＣＰＵであって、該ＣＰＵは、双方向バスを介してデータを送受信可能である、ＣＰＵと、
該ＣＰＵに結合されたメディアリーダであって、該プログラマブルロジックは、該メディアリーダによって読み取られる記憶媒体上に記憶されたビデオコンテンツが３Ｄビデオコンテンツを含むかどうかを決定することと、該ビデオコンテンツが表示されるディスプレイユニットが３Ｄビデオコンテンツを表示可能かどうかを決定することと、該ビデオコンテンツが表示されるディスプレイユニットに、該ディスプレイユニットが３Ｄビデオコンテンツを表示可能である場合には３Ｄビデオディスプレイモードに切り換えさせるために、または該ディスプレイが３Ｄビデオコンテンツを表示不可能である場合にはエラーメッセージを表示させるために指示を送信することと、該ディスプレイユニットが３Ｄビデオコンテンツを表示可能である場合には該ビデオコンテンツが表示されるディスプレイユニットに３Ｄビデオコンテンツを送信することとを行うように構成される、メディアリーダと
を備えている、３Ｄメディアプレーヤと
を備えている、３Ｄメディアディスプレイシステム。
【請求項７】
前記プログラマブルロジックは、前記不揮発性メモリに記憶されたソフトウェアを含み、該ソフトウェアは一組の指示を備える、請求項６に記載の３Ｄメディアディスプレイシステム。
【請求項８】
前記プログラマブルロジックは、自動検出モジュールを含む、請求項６に記載の３Ｄメディアディスプレイシステム。
【発明の詳細な説明】
【技術分野】
【０００１】
（分野）
本発明は、概してテレビに関し、より具体的には３次元（３Ｄ）使用可能なプレーヤ／レコーダに関する。
【背景技術】
【０００２】
（背景）
３次元（３Ｄ）映画は、定期的にさらに多くのタイトルがリリースされて、拡大し続けている。最高２０以上のタイトルが来年リリースされることが予測される。ハリウッドは、３Ｄ映画コンテンツの製作および配給に対する重要なリソースを公表している。このコンテンツを再生可能な家庭用の既存のデバイスはないが、テレビ製造業者は、３Ｄ実行可能なテレビを開発および製造し始めている。従って、３Ｄコンテンツを３Ｄ実行可能なテレビに再生可能である家庭用再生デバイスを有することが望ましい。
【発明の概要】
【課題を解決するための手段】
【０００３】
（概要）
本明細書において開示される実施形態は、３Ｄコンテンツを、３Ｄ実行可能なテレビまたは３Ｄ能力のあるテレビ上に再生することを容易にするシステムおよび方法に関する。好適な実施形態において、ビデオコンテンツを再生するように指示されたとき、コンテンツプレーヤは、３Ｄコンテンツを自動検出し、該３Ｄコンテンツを３Ｄ実行可能なテレビに送信し、さらにテレビを３Ｄモードに「設定する」ために、Ｃｏｎｓｕｍｅｒ  Ｅｌｅｃｔｒｏｎｉｃ  Ｃｏｎｔｒｏｌ（ＣＥＣ）プロトコルによってテレビを制御する。
【０００４】
本発明の他の目的、システム、方法、特徴および利点は、以下の図面および詳細な説明の検討の際に、当業者に明らかであるか、または明らかになる。このような追加のシステム、方法、特徴および利点の全ては、この説明内に含まれることと、本発明の範囲内であることと、添付の特許請求の範囲によって保護されることとが意図される。特定の方法および装置が、限定としてではなく、例示の目的のみのために示されることが理解される。当業者によって理解されるように、本明細書に説明される原理および特徴は、様々な多数の実施形態において用いられ得る。
【０００５】
例えば、本発明は以下の項目を提供する。
（項目１）
ディスプレイユニット上での３Ｄメディアプレーヤからの３Ｄビデオコンテンツの再生を制御する方法であって、
ディスプレイユニット上での表示のための、コンテンツ媒体上に含まれるビデオコンテンツを再生するための指示を受信するステップと、
該媒体上に含まれるビデオコンテンツが３Ｄビデオコンテンツであるかどうかを決定するステップと、
該ビデオコンテンツが表示されるディスプレイユニットが３Ｄビデオコンテンツを表示可能であるかどうかを決定するステップと、
該ディスプレイユニットを、３Ｄビデオディスプレイモードに切り換えさせるために、指示を該ディスプレイユニットに送るステップと、
該３Ｄビデオコンテンツを、表示のために該ディスプレイユニットに送信するステップと
を包含する、方法。
（項目２）
ディスプレイユニット上での３Ｄメディアプレーヤからの３Ｄビデオコンテンツの再生を制御する方法であって、
ディスプレイユニット上での表示のための、記憶媒体上に記憶されたビデオコンテンツを再生するための指示を受信するステップと、
該記憶媒体上に記憶されたビデオコンテンツが３Ｄビデオコンテンツであるかどうかを決定するステップと、
該ビデオコンテンツが表示されるディスプレイユニットが３Ｄビデオコンテンツを表示可能であるかどうかを決定するステップと、
該ディスプレイユニットに、該ディスプレイユニットが３Ｄビデオコンテンツを表示可能である場合には３Ｄビデオディスプレイモードへ切り換えさせるために、または該ディスプレイユニットが３Ｄビデオコンテンツを表示不可能である場合にはエラーメッセージを表させるために、指示を該ディスプレイユニットに送るステップと、
該ディスプレイユニットが３Ｄビデオコンテンツを表示可能な場合、該３Ｄビデオコンテンツを、表示のために該ディスプレイユニットに送信するステップと
を包含する、方法。
（項目３）
不揮発性メモリとプラグラマブルロジックとを含むＣＰＵであって、該ＣＰＵは、双方向バスを介してデータを送受信可能である、ＣＰＵと、
該ＣＰＵに結合されたメディアリーダであって、該プログラマブルロジックは、該メディアリーダによって読み取られる記憶媒体上に記憶されたビデオコンテンツが３Ｄビデオコンテンツを含むかどうかを決定することと、該ビデオコンテンツが表示されるディスプレイユニットが３Ｄビデオコンテンツを表示可能かどうかを決定することと、該ビデオコンテンツが表示されるディスプレイユニットに、該ディスプレイユニットが３Ｄビデオコンテンツを表示可能である場合には３Ｄビデオディスプレイモードに切り換えさせるために、または該ディスプレイが３Ｄビデオコンテンツを表示不可能である場合にはエラーメッセージを表示させるために指示を送信することと、該ディスプレイユニットが３Ｄビデオコンテンツを表示可能である場合には該ビデオコンテンツが表示されるディスプレイユニットに３Ｄビデオコンテンツを送信することとを行うように構成される、メディアリーダと
を備えている、３Ｄメディアプレーヤ。
（項目４）
上記プログラマブルロジックは、上記不揮発性メモリに記憶されたソフトウェアを含み、該ソフトウェアは一組の指示を備える、上記項目のいずれかに記載の３Ｄメディアプレーヤ。
（項目５）
上記プログラマブルロジックは、自動検出モジュールを含む、上記項目のいずれかに記載の３Ｄメディアプレーヤ。
（項目６）
テレビと、
該テレビに結合された３Ｄメディアプレーヤであって、該３Ｄメディアプレーヤは、
不揮発性メモリとプラグラマブルロジックとを含むＣＰＵであって、該ＣＰＵは、双方向バスを介してデータを送受信可能である、ＣＰＵと、
該ＣＰＵに結合されたメディアリーダであって、該プログラマブルロジックは、該メディアリーダによって読み取られる記憶媒体上に記憶されたビデオコンテンツが３Ｄビデオコンテンツを含むかどうかを決定することと、該ビデオコンテンツが表示されるディスプレイユニットが３Ｄビデオコンテンツを表示可能かどうかを決定することと、該ビデオコンテンツが表示されるディスプレイユニットに、該ディスプレイユニットが３Ｄビデオコンテンツを表示可能である場合には３Ｄビデオディスプレイモードに切り換えさせるために、または該ディスプレイが３Ｄビデオコンテンツを表示不可能である場合にはエラーメッセージを表示させるために指示を送信することと、該ディスプレイユニットが３Ｄビデオコンテンツを表示可能である場合には該ビデオコンテンツが表示されるディスプレイユニットに３Ｄビデオコンテンツを送信することとを行うように構成される、メディアリーダと
を備えている、３Ｄメディアプレーヤと
を備えている、３Ｄメディアディスプレイシステム。
（項目７）
上記プログラマブルロジックは、上記不揮発性メモリに記憶されたソフトウェアを含み、該ソフトウェアは一組の指示を備える、上記項目のいずれかに記載の３Ｄメディアディスプレイシステム。
（項目８）
上記プログラマブルロジックは、自動検出モジュールを含む、上記項目のいずれかに記載の３Ｄメディアディスプレイシステム。
【０００６】
（摘要）
３Ｄコンテンツの３Ｄ実行可能なテレビまたは３Ｄ能力のあるテレビ上での再生を容易にするシステムおよび方法。好適な実施形態において、ビデオコンテンツを再生するように指示されると、コンテンツプレーヤは、３Ｄコンテンツを自動検出し、該３Ｄコンテンツを３Ｄ実行可能なテレビに送信し、さらにテレビを３Ｄモードに「設定する」ためにＣＥＣによってテレビを制御する。
【図面の簡単な説明】
【０００７】
本発明の詳細は、その構造および動作の両方に関して、添付の図面の検討により部分的に収集され得、図面において、同様の参照番号は同様の部品を示す。図面の構成要素は、必ずしも縮尺を合わせられておらず、その代わりに本発明の原理を示す際に強調されている。さらに、全ての例示は、概念を伝えるように意図され、相対的なサイズ、形状および他の詳細な属性が、文字通りまたは正確ではなく概略的に示され得る。
【図１】図１は、テレビシステムの概略図である。
【図２】図２は、システム動作を示すフローチャートの概略図である。
【発明を実施するための形態】
【０００８】
同様の構造または機能の要素が、図面全体を通して例示目的のために同様の参照番号で一般的に表されることに留意されたい。図面は、好適な実施形態の説明を容易にする事のみが意図されることにも留意されたい。
【０００９】
（詳細な説明）
本明細書において記載される実施形態は、３Ｄコンテンツをテレビ上で再生するための改善された方法およびシステムに関する。好適な実施形態において、ビデオコンテンツを再生するように指示されたとき、コンテンツプレーヤは、３Ｄコンテンツを自動検出し、この３Ｄコンテンツを３Ｄ実行可能なテレビに送信し、さらにテレビを３Ｄモードに「設定する」ためにＣＥＣによってテレビを制御する。本明細書において提供されるように、実施形態は、Ｈｉｇｈ  Ｄｅｆｉｎｉｔｉｏｎ  Ｍｕｌｔｉｍｅｄｉａ  Ｉｎｔｅｒｆａｃｅ（ＨＤＭＩ）１．３（ＣＥＣ）およびＩＥＥＥ  １３９４準拠テレビ、コンテンツ再生デバイス（例えば、ＤＶＤプレーヤ、Ｂｌｕ−ｒａｙプレーヤおよび他のオーディオビデオコンポーネント）に組み込まれるデバイス自動検出メカニズムを利用して、制御機能を供給するために、それらのデバイスの別の機器および接続されたデバイスへの接続を検出する。
【００１０】
図面を参照すると、本明細書において提供される実施形態が詳細に記載される。図１に描かれるようなテレビ１０は、エンクロージャ１１と、該エンクロージャ１１に収容されるか、または該エンクロージャ１１に結合されたスクリーン３４とを含む。不揮発性メモリ２６と（メモリ内に記憶されたシステムソフトウェアの形態であり得る）プログラマブルロジック２２と、集積回路と、特定用途向け集積回路チップなどとを含む中央演算処理装置（ＣＰＵ）２０がエンクロージャ１１に収容される。ソフトウェアは、好適には、一組の指示を備え、該一組の指示は、テレビ１０のセットアップおよび動作を可能にする。プログラマブルロジック２２は、好適には自動検出モジュール２４を含む。
【００１１】
スクリーン３４に結合されたイメージディスプレイシステム３２（例えば、投影システムなど）と、ＣＰＵ２０およびイメージディスプレイシステム３２に結合されたオンスクリーンディスプレイ（ＯＳＤ）コントローラ３０とがまたエンクロージャ１１内に収容される。ＯＳＤコントローラ３０は、スクリーン３４上に表示されるものを制御する。テレビ１０は、また、好適には、ＯＳＤコントローラ３０に結合された１つ以上の入力／出力ポート１２（例えば、ＨＤＭＩポート、１３９４ポートなど）を含む。入力／出力ポート１２は、好適には、双方向バス１４を介してＣＰＵ２０に結合され、ＨＤＭＩ（ＣＥＣ）およびＩＥＥＥ  １３９４形式の制御コマンドが、接続されたデバイスへ、そして接続されたデバイスから流れることを可能にする。
【００１２】
双方向バスを介してデータを送受信することが可能なプレーヤまたはプレーヤ／レコーダデバイス４０（例えば、ＨＤＭＩおよび／または１３９４準拠のＤＶＤプレーヤ、Ｂｌｕ−ｒａｙプレーヤなど）が、双方向ケーブル４２を介して、または無線で、テレビ１０に結合され、ビデオコンテンツおよび制御コマンドをテレビ１０に送信する。プレーヤデバイス４０は、不揮発性メモリ５６と（メモリ内に記憶されたシステムソフトウェアの形態であり得る）プログラマブルロジック５２と集積回路と特定用途向け集積回路チップなどとを含むＣＰＵ５０と、該ＣＰＵ５０に結合されたメディアリーダ５８とを含む。ソフトウェアは、好適には、プレーヤデバイス４０のセットアップおよび動作を可能にするために、一組の指示を備えている。プログラマブルロジック５２は、好適には、自動検出モジュール５４を含む。いったんテレビ１０に接続されると、デバイス４０は、テレビ１０を自動検出し、テレビ１０に、テレビ１０の制御機能をプレーヤデバイス４０に送信することを促す。
【００１３】
動作時、図２に示されるように、記憶媒体（例えば、ディスク）上に記憶されたコンテンツを再生するプロセス１００は、最初に、記憶媒体上に記憶されたコンテンツを再生する指示を受信すること（１０２）を含む。指示は、再生デバイス４０のフロントパネル上の制御パネルから受信され得るか、またはＩＲもしくはＲＦベースの遠隔制御ユニットから受信され得る。いったんプレーヤデバイス４０が記憶媒体上のビデオコンテンツを再生する指示を受信すると、プレーヤデバイス４０は、再生されるべきコンテンツが３Ｄビデオコンテンツであるか否かを自動検出する（１０４）。再生されるべきコンテンツが、３Ｄビデオコンテンツである場合、プレーヤデバイスは、テレビ１０が３Ｄ実行可能であるか、または３Ｄビデオコンテンツを表示可能であるかどうかを自動検出する（１０６）。
【００１４】
テレビ１０が３Ｄ実行可能であるか、または３Ｄビデオコンテンツを表示可能である場合には、プレーヤデバイス４０は、テレビに、３Ｄビデオ表示モードへの切り換えをさせ、プレーヤデバイスから送信されたビデオコンテンツを表示させ、システムのスピーカを介してオーディオを出力するように必要な切り換えを行わせる（１０８）。テレビ１０が３Ｄ実行可能でない場合、プレーヤデバイス４０は、エラーメッセージを表示し、そしてテレビ１０にエラーメッセージを表示するように指示する。
【００１５】
本明細書において記載された特定の例は教示的であり、当業者がこのデバイスを適用可能な用途への限定として解釈されるべきではない。添付の特許請求の範囲によって定義されるような本発明の精神内に包含される修正および他の使用が当業者に対して入手可能である。
【符号の説明】
【００１６】
１０  テレビ
１１  エンクロージャ
１２  入力／出力ポート
１４  双方向バス
２０、５０  中央演算処理装置、ＣＰＵ
２２、５２  プログラマブルロジック
２４、５４  自動検出モジュール
２６、５６  不揮発性メモリ
３０  オンスクリーンディスプレイ（ＯＳＤ）コントローラ
３２  イメージディスプレイシステム
３４  スクリーン
４０  プレーヤデバイス、プレーヤ／レコーダデバイス
４２  双方向ケーブル
５８  メディアリーダ
【図１】
2010050968.tif 000003
【図２】
2010050968.tif 000004